(57)【要約】【課題】生体に穿刺する穿刺器具において、痛みを殆ど感じることなく確実に毛細血管を穿孔可能にする。【解決手段】内部にレーザ光Ｂを通過させる光路１０ａ及びレーザ光Ｂが出射する出射口１０ｂを有する穿刺針１０と、穿刺針１０の光路１０ａにレーザ光Ｂを入射させるレーザ照射手段２０とを備え、レーザ照射手段２０によるレーザ光Ｂ１によって毛細血管を穿孔する。【選択図】図１
2008212264.tif 000002
【特許請求の範囲】
【請求項１】
内部にレーザ光を通過させる光路及び前記レーザ光が出射する出射口を有する穿刺針と、
該穿刺針の前記光路に前記レーザ光を入射させるレーザ照射手段とを備えてなることを特徴とする穿刺器具。
【請求項２】
前記穿刺針が１００μｍ以下の径を有するものであることを特徴とする請求項１に記載の穿刺器具。
【請求項３】
前記光路が中空状であることを特徴とする請求項１又は２に記載の穿刺器具。
【請求項４】
前記穿刺針の先端を尖形状とすることを特徴とする請求項３に記載の穿刺器具。
【請求項５】
前記穿刺針の先端を略平坦状とすることを特徴とする請求項３に記載の穿刺器具。
【請求項６】
前記穿刺針が、光ファイバからなることを特徴とする請求項１又は２に記載の穿刺器具。
【請求項７】
前記光ファイバの先端が略平坦であることを特徴とする請求項６に記載の穿刺器具。
【請求項８】
前記光ファイバの先端がレンズ機能を有するものであることを特徴とする請求項６に記載の穿刺器具。
【請求項９】
前記光ファイバが、プラスチックで形成されていることを特徴とする請求項６〜８のいずれか１項に記載の穿刺器具。
【請求項１０】
血液で反射される波長の光を照射する第二の照射手段と、
該第二の照射手段により照射された光の反射光を検出する光検出手段とを、さらに備えてなることを特徴とする請求項１〜９のいずれか１項に記載の穿刺器具。
【請求項１１】
前記第二の照射手段により照射される光が、前記光路を通って前記出射口から出射し、
前記反射光が、前記出射口から入射し前記光路を通り、前記光検出手段に導光されるように構成されていることを特徴とする請求項１０に記載の穿刺器具。
【請求項１２】
前記穿刺針の前記出射口側端部に、血液と接触したときに出力が変化する電極をさらに備えてなることを特徴とする請求項１〜９のいずれか１項に記載の穿刺器具。
【請求項１３】
ロッド状に形成され、一端に前記レーザ照射手段から照射されるレーザ光が入射する入射部を備え、他端に前記穿刺針が同軸に着脱可能に装着される装着部を備えてなるガイドコネクタをさらに備えていることを特徴とする請求項１〜１２のいずれか１項に記載の穿刺器具。
【請求項１４】
一端が前記入射部に接続され、他端が前記レーザ照射手段に接続される光伝送用のファイバと、
該ファイバの少なくとも一部と前記ガイドコネクタとを囲んで筒状に形成された穿刺器具本体部と、
前記ガイドコネクタに装着された前記穿刺針の先端を、前記穿刺器具本体部の開口端から突出させる方向に穿刺移動させる移動手段とを備えていることを特徴とする請求項１３に記載の穿刺器具。
【請求項１５】
前記移動手段が、前記ガイドコネクタを介して前記穿刺針を付勢するばね部材を備えていることを特徴とする請求項１４に記載の穿刺器具。
【発明の詳細な説明】
【技術分野】
【０００１】
本発明は穿刺器具に関し、特にレーザ光を使用した穿刺器具に関するものである。
【背景技術】
【０００２】
従来、生体から血液等を採取し、この採取された血液を用いて種々疾患の診断行う方法が広く用いられている。この血液を採血する方法としては、注射針を皮膚から静脈へ貫通させて採血する方法や、針状やメス状のいわゆるランセットを用いて皮膚を損傷して出血させる方法等があり、後者は、出血した血液に検査試薬等を接触させて診断が行われる。
【０００３】
このランセットを用いた採血方法は、特に糖尿病患者が自ら血中のグルコース値である血糖値を測定する場合に行われ、患者自身の指先などにランセットの針を刺して毛細血管を穿孔することにより採血し、採血した血液を血糖値分析計に移して血糖値を測定している。
【０００４】
しかしながら、一般的に採血は穿刺時等に痛みを伴うものであり、従来より痛みを低減させ、診断に必要な量の血液を略無痛で採取する方法が望まれている。特許文献１には、形成が困難な５０μｍ以下の径の中空状の針を用いることなく、中空状ではない穿刺針の外周部に血液等を保持・通過させる凹部を形成することで、その径を皮膚に点在する痛点の間隔よりも細く、具体的には１０〜６０μｍにして、穿刺時の痛みを低減させる穿刺針が提案されている。
【０００５】
また特許文献２には、波長が１．５〜３．０μｍ、レーザパルス幅が１００〜３００μｓｅｃ、レーザエネルギが１〜１．５Ｊ／パルスのレーザビームを皮膚表面にピンポイントで照射して皮膚を穿孔し、傷口が器物と直接接することなく血液を採取することにより、注射針を穿刺した状態で血液を吸い上げることで生じる長時間の痛みを低減させる方法が提案されている。
【特許文献１】特開２００４−２０８９４９号公報
【特許文献２】特開平４−３１４４２８号公報
【発明の開示】
【発明が解決しようとする課題】
【０００６】
しかしながら、特許文献１に記載の穿刺針は、痛みを低減するために針の径を細くしているので、細いが故に穿刺する際に必要な剛性が不十分となり、皮膚に刺さり難くなる虞がある。この場合、上記剛性を高めるために別の部材を設ける等の必要性が生じてしまう。一方、皮膚の表皮に穿刺することができても、針が細いため毛細血管に接触できずに必要量の血液を採取できない場合がある。
【０００７】
また特許文献２に記載のレーザを照射する採血方法は、上記のようにレーザの力（熱蒸散）のみで皮膚に穿孔して採血するものであるため、皮膚が蒸散するときに、気化した物質が飛び散る虞があり、カバーやキャップ等が必要となる。また熱蒸散にて皮膚等の細胞が気化すると体積が瞬間的に増えるために、微細径の穴、例えば直径５０μｍの穴を深さ１０００μｍ以上穿孔しようとする場合には、深部で気化した物質が逃げ切れずに、衝撃として周囲に痛みを発生させる場合がある。
【０００８】
本発明はかかる事情に鑑みてなされたものであり、痛みを殆ど感じることなく確実に毛細血管を穿孔可能な穿刺器具を提供することを目的とするものである。
【課題を解決するための手段】
【０００９】
本発明の穿刺器具は、内部にレーザ光を通過させる光路及びレーザ光が出射する出射口を有する穿刺針と、この穿刺針の前記光路にレーザ光を入射させるレーザ照射手段とを備えてなることを特徴とするものである。
【００１０】
本発明の穿刺器具は、穿刺針が１００μｍ以下の径を有するものであることが好ましい。
【００１１】
本発明においては、前記光路を中空状とすることができる。
【００１２】
この場合、穿刺針の先端を尖形状とし、５０μｍよりも小さいときは穿刺針の先端を略平坦状とすることが可能になる。
【００１３】
また本発明においては、穿刺針を、光ファイバからなるものとしてもよい。
【００１４】
この場合、光ファイバの先端が略平坦であるか、又はレンズ機能を有するものであることが好ましい。
【００１５】
また本発明の穿刺器具は、血液で反射される波長の光を照射する第二の照射手段と、第二の照射手段により照射された光の反射光を検出する光検出手段とをさらに備えることができる。
【００１６】
この場合、第二の照射手段により照射される光が、光路を通って出射口から出射し、反射光が、出射口から入射し前記光路を通り、光検出手段に導光されるように構成されていることが好ましい。
【００１７】
また本発明の穿刺器具は、穿刺針の出射口側端部に、血液と接触したときに出力が変化する電極をさらに備えることができる。
【００１８】
また本発明の穿刺器具は、ロッド状に形成され、一端にレーザ照射手段から照射されるレーザ光が入射する入射部を備え、他端に穿刺針が同軸に着脱可能に装着される装着部を備えてなるガイドコネクタをさらに備えることができる。
【００１９】
また本発明の穿刺器具は、一端が入射部に接続され、他端がレーザ照射手段に接続される光伝送用のファイバと、
該ファイバの少なくとも一部とガイドコネクタとを囲んで筒状に形成された穿刺器具本体部と、
ガイドコネクタに装着された穿刺針の先端を、穿刺器具本体部の開口端から突出させる方向に穿刺移動させる移動手段とを備えることができる。
【００２０】
この移動手段は、ガイドコネクタを介して穿刺針を付勢するばね部材を備えていることが好ましい。
【発明の効果】
【００２１】
本発明の穿刺器具は、内部にレーザ光を通過させる光路及びレーザ光が出射する出射口を有する穿刺針と、この穿刺針の前記光路にレーザ光を入射させるレーザ照射手段とを備えてなるものなので、穿刺時の痛みを低減するために穿刺針を細径化したときに、穿刺針が細いが故に皮膚に刺さり難くなるということなく、レーザ照射手段によるレーザ光によって皮膚表面を穿孔することができる。更に、穿刺針が細いが故に毛細血管を穿孔できない場合には、レーザ照射手段によるレーザ光によって毛細血管を穿孔することができる。これにより穿刺器具は、必要量の血液等を確実に採取することが可能となる。
【００２２】
また穿刺針が１００μｍ以下の径を有するものである場合には、穿刺針が、一般的には２００〜３００μｍ程の皮膚に点在する痛点の間隔よりも細く形成されていることにより穿刺時の痛みを低減することができる。
【発明を実施するための最良の形態】
【００２３】
以下、本発明の一実施形態にかかる穿刺器具について図面を参照して詳細に説明する。図１は本実施形態の穿刺器具１の概略構成を示す模式図である。なお本発明においては、特別な記述のない限り、穿刺針１０の生体に穿刺する側を先端として以下説明する。
【００２４】
本実施形態の穿刺器具１は、図１に示すように、中空状に形成され、先端が斜めに切り欠かれた尖形状の穿刺針１０と、レーザ光Ｂ１を照射するレーザ照射部（レーザ照射手段）２０とを備えている。穿刺針１０は、中空状の内部がレーザ光Ｂ１を通過させる光路１０ａとなり、尖形状の先端が、レーザ光Ｂ１が出射する出射口１０ｂとなって、例えばステンレス等で、５０μｍの径で形成されている。そして穿刺針１０の後端は、後述するガイドコネクタ３０の装着部３１ａに着脱可能に装着される。
【００２５】
ガイドコネクタ３０はロッド状に形成されたガイド部３１及びこのガイド部３１を収容するコネクタ部３２を備えている。ガイド部３１は一端に前記装着部３１ａが形成されており、装着部３１ａは穿刺針１０の後端が装着される穴で構成され、この穴の開口３１ｂは、穿刺針１０を例えば斜め方向から挿入した場合でもガイド部３１と同軸に装着可能にするために案内用の斜面を有している。
【００２６】
また装着部３１ａの内面には、例えば穿刺針１０の外周面に形成された環状凹部（図示せず）に係合する凸部（図示せず）が形成され、これらを係合することにより穿刺針１０を着脱可能に保持している。
【００２７】
またコネクタ部３２の内面には、例えばガイド部３１の外周面に形成された環状凹部（図示せず）に係合する凸部（図示せず）が形成され、これらを係合することによりガイド部３１を着脱可能に保持している。
【００２８】
一方、ガイド部３１の他端はレーザ照射部２０から照射されるレーザ光Ｂ１が集光レンズ４０等を介して入射される入射部３３を備えている。入射部３３は、例えば光ファイバと光コンポーネントとを着脱可能な状態で接続するために一般的に使用される光ファイバ用コネクタ又はロッドレンズ等で構成され、ガイド部３１本体と同軸に設けられている。この入射部３３に入射したレーザ光Ｂ１は、装着部３１ａに装着された穿刺針１０の光路１０ａを伝搬する。
【００２９】
そして上記ガイド部３１の周囲にはロッド状のコネクタ部３２が設けられている。コネクタ部３２は、軸方向中央よりも入射部３３側の位置３２ａにて開閉可能に分割されており、装着部３１ａ側端面の略中央には穿刺針１０が挿通する挿通孔３２ｂが、穿刺針１０が径方向に振れ難いように穿刺針１０の径と略同径で形成されている。また入射部３３側の端面は、この入射部３３にレーザ光Ｂ１が入射可能なように、例えば入射部３３を臨む図示しない孔が形成されている。
【００３０】
レーザ照射部２０は、例えば３μｍの波長のレーザ光Ｂ１を照射するレーザ共振器２１、安定したレーザ光Ｂ１を照射すべくレーザ共振器２１を制御、駆動する制御駆動部２２等から構成され、図示しない電源に接続される。本実施形態の穿刺器具１は以上のようにして構成される。
【００３１】
次に上記のように構成された穿刺器具１の作用について以下図面を参照して説明する。図２の（ａ）〜（ｃ）は生体への穿刺時の工程を順次説明する図、図３（ａ）〜（ｃ）は皮膚Ｓに挿入された穿刺針１０の状態を説明する図である。本実施形態では、穿刺器具１は、例えば、糖尿病患者が自己で行う自己血糖測定等で使用されるものとし、穿刺部位は指尖部として説明する。
【００３２】
先ず、穿刺針１０の後端を、図１に示すように、ガイドコネクタ３０の装着部３１ａに装着して穿刺器具１を指尖部に穿刺可能な状態にする。次に、図２（ａ）に示すように穿刺器具１の穿刺針１０を皮膚Ｓに刺すときにレーザ照射部２０からレーザ光Ｂ１を照射して、皮膚Ｓの表面を穿孔する。そして図２（ｂ）に示すように穿刺針１０を穿孔した孔から皮膚Ｓに挿入した状態でレーザ照射部２０からレーザ光Ｂ１を照射して、図２（ｃ）に示すように照射されたレーザ光Ｂ１を穿刺針１０の内部すなわち光路１０ａを通過させて出射口１０ｂから出射させる。
【００３３】
このとき、レーザ光Ｂ１を照射するタイミングは、例えば穿刺針１０に、皮膚Ｓに挿入した際の挿入深さを示す目盛等を設け、この目盛によって穿刺針１０が皮膚Ｓに所定深さ挿入されたことを確認した後で照射してもよいし、穿刺針１０を皮膚Ｓに挿入してから所定時間経過後に照射するようにしてもよいし、適宜変更可能である。
【００３４】
これにより、図３（ａ）に示すように穿刺針１０が細いが故に毛細血管Ｔに接触できなくて出血しない場合等に、上述のようにレーザ光Ｂ１を照射する（図３（ｂ）参照）ことにより、図３（ｃ）に示すように、毛細血管Ｔ等を穿孔でき、出血させることができる。
【００３５】
上記により、穿刺針１０が、一般的には２００〜３００μｍ程の皮膚Ｓに点在する痛点の間隔よりも細く形成されていることにより穿刺時の痛みを低減することができる。そして穿刺針１０が細いが故に毛細血管Ｔを穿孔できない場合には、レーザ照射部２０によるレーザ光Ｂ１によって毛細血管Ｔを穿孔することができる。これにより穿刺器具１は必要量の血液等を確実に採取することが可能となる。
【００３６】
なお本実施形態の穿刺器具１は、穿刺針１０の後端をガイドコネクタ３０に装着したが本発明はこれに限られるものではなく、ガイドコネクタ３０に装着しなくてもよい。この場合、例えば集光レンズ４０にて集められたレーザ光Ｂ１を直接光路１０ａに入射する。
【００３７】
また本実施形態の穿刺針１０は、上述のように構成したが、本発明はこれに限られるものではなく、内部に光路を有するものであればいずれを使用してもよい。
【００３８】
ここで図４に第二の実施形態の穿刺針１０−２の斜視図、図５に第三の実施形態の穿刺針１０−３の斜視図、図６に第四の実施形態の穿刺針１０−４の斜視図を示す。
【００３９】
第二の実施形態の穿刺針１０−２は、図４に示すように、外径が５０μｍよりも小さいものであり、先端が略平坦状に形成されている。上記のように針の外径が小さいものであれば、先端を鋭く加工せずとも、皮膚Ｓに挿入することが可能である。このように加工の必要がない場合には、加工の分のコストを低減することができるので、使い捨ての穿刺針には最適である。
【００４０】
また第三の実施形態の穿刺針１０−３は、内部が中空状ではなく、図５に示すように、先端が略平坦に形成され、軸心にコア１０ａ−３を有する光ファイバで構成されている。本実施形態では、このコア１０ａ−３が光路となる。例えば、注射針のように血液を吸引する必要がない場合等には中空状である必要がないので、光ファイバを使用することにより穿刺針１０−３の大量生産が可能となり、コストを低減することができて、上記と同様に使い捨ての穿刺針には最適である。
【００４１】
また第四の実施形態の穿刺針１０−４は、図６に示すように、上記実施形態の穿刺針１０−３の先端にレンズ機能、具体的には、例えば先端を球面加工したレンズ１１等を備える。これによりレーザ光Ｂ１が開口端１０ｂで広がって放射することを抑制できるので、エネルギ効率を向上することができ、さらには穿刺部位の周辺組織の損傷を低減することが可能となる。
【００４２】
なお上記実施形態の穿刺針１０−３、１０−４は、通信用の石英ファイバや、生体への負担を低減するためにはプラスチックファイバ等で形成することがさらに好ましい。
【００４３】
次に本発明にかかる第五の実施形態の穿刺器具１−５について、以下図面を参照して詳細に説明する。図７は、第五の実施形態の穿刺器具１−５の概略構成を示す模式図である。なお本実施形態の穿刺器具１−５は、便宜上、上述の第一の実施形態の穿刺器具１と同様の箇所は同符号で示して説明を省略する。
【００４４】
本実施形態の穿刺器具１−５は、血液で反射される波長を有する光を照射する第二の照射手段を備えている。本実施形態では一例として血液で反射されるレーザ光Ｂ２を照射する第二のレーザ照射手段を備える形態である。ここで「血液で反射される波長」は、血液と、血液以外の箇所での反射率の差が顕著である波長であればいずれの波長であってもよい。
【００４５】
なおレーザ光Ｂ２を用いる場合、例えば血液の主成分であるヘモグロビンの特徴的な波長である５５５ｎｍ、５８５ｎｍ帯の波長等を使用することができる。
【００４６】
第二のレーザ照射手段は、例えば上記実施形態のレーザ照射部２０とは別に新たに備えられた、レーザ光Ｂ２を照射するレーザ照射部であってもよいし、上記レーザ照射部２０にさらに備えられたレーザ光Ｂ２を発生するレーザ共振器であってもよい。また図７に示すように、制御駆動部２２を制御することにより、異なる波長のレーザ光Ｂ１及びレーザ光Ｂ２をそれぞれ照射可能にしたレーザ共振器２１−５を第二のレーザ照射手段としてもよいし、適宜変更可能である。本実施形態ではこのレーザ共振器２１−５を備えたレーザ照射部２０−５を使用する。
【００４７】
また穿刺器具１−５は、上記レーザ照射部２０−５から照射されたレーザ光Ｂ２の反射光Ｂ２’を検出する光検出部（光検出手段）５０をさらに備えている。光検出部５０は、フォトダイオード等の光検出器５１と、前記反射光Ｂ２’を直角に反射するハーフミラー５２とを備え、光検出器５１はハーフミラー５２で直角に反射した反射光Ｂ２’の光量を検出する。
【００４８】
次に上記のように構成された穿刺器具１−５の作用について以下説明する。先ず上述の実施形態の穿刺器具１と同様に穿刺針１０の後端を、図７に示すように、装着部３１ａに装着して穿刺器具１−５を指尖部に穿刺可能な状態にする。次に穿刺針１０を、先端すなわち出射口１０ｂ側から皮膚Ｓに挿入し、穿刺針１０を皮膚Ｓに挿入した状態で、レーザ照射部２０−５から例えば波長５５５ｎｍのレーザ光Ｂ２を照射する。
【００４９】
すると照射されたレーザ光Ｂ２の一部はハーフミラー５２を透過し、集光レンズ４０を介してガイドコネクタ３０の入射部３３へ入射する。そして穿刺針１０の光路１０ａを通過して出射口１０ｂから出射する。
【００５０】
出射口１０ｂから出射したレーザ光Ｂ２は、赤帯域波長の５５５ｎｍであるが故に、血液に当たると殆ど吸収されずに反射する。そしてこの反射された反射光Ｂ２’は光路１０ａを通過し、その一部がハーフミラー５２によって直角に反射する。この直角に反射した反射光Ｂ２’の光量を光検出器５１が検出する。
【００５１】
このとき出射口１０ｂから出射したレーザ光Ｂ２が血液以外、例えば皮膚組織等に当たった場合には、その光は皮膚組織に吸収されるので反射光Ｂ２’の光量は少なくなり、該光量と上記血液に当たった場合の光量との差は顕著である。このようにレーザ光Ｂ２を照射したときの光の反射率の違いにより、出血しているか否かを判別することができる。
【００５２】
そして、光検出部５０が出血していないと判別したときに、レーザ照射部２０−５によりレーザ光Ｂ１を穿刺針１０の出射口１０ｂから出射させて、毛細血管を穿孔する。これにより、出血していないときのみ、レーザ光Ｂ１により毛細血管を穿孔することも可能となるので、レーザ光Ｂ１による生体への負担を低減することができ、必要量の血液を確実に採取することができる。
【００５３】
なお、本実施形態では血液で反射される光をレーザ光Ｂ２として説明したが、本発明はこれに限られるものではなく、例えばＬＥＤ光であってもよい。
【００５４】
また、本実施形態では一例として血液で反射されるレーザ光Ｂ２を照射する第二のレーザ照射手段を備える形態として説明したが、本発明はこれに限られるものではなく、血液で反射される波長の光を有する第二の照明光を照射し、反射光について分光して血液で反射される波長の光を検出するように構成してもよい。第二の照明光としては、例えばハロゲン光源からの白色光を使用することができる。
【００５５】
次に本発明にかかる第六の実施形態の穿刺器具１−６について、以下図面を参照して詳細に説明する。図８は、第六の実施形態の穿刺器具１−６の概略構成を示す模式図である。
【００５６】
本実施形態の穿刺器具１−６は上記実施形態の穿刺器具１−５とは、出血しているか否かを判別する方法が異なっている。本実施形態の穿刺器具１−６は、穿刺針１０の先端側に電極部６０を備えている。電極部６０は、出射口１０ｂ側端部に、血液と接触したときに出力が変化する電極６１及び電極６１から出力された信号を検出する信号検出器６２を備えている。電極６１は、例えば、医療用のカテーテル等で一般的に使用されるもの等を使用することができる。
【００５７】
なお、電極６１の出力の検出には電気抵抗値を用いることができる他、交流インピーダンス法を用いてもよい。
【００５８】
次に上記のように構成された穿刺器具１−６の作用について以下説明する。先ず上述の実施形態の穿刺器具１と同様に穿刺針１０の後端を、図８に示すように、装着部３１ａに装着して穿刺器具１−６を指尖部に穿刺可能な状態にする。次に穿刺針１０を、先端すなわち出射口１０ｂ側から皮膚Ｓに挿入する。このとき信号検出器６２は、所定間隔にて電極６１から出力される信号を検出する。
【００５９】
これにより例えば電極６１が皮膚組織に接触したときと、血液に接触したときとでは、信号検出器６２が検出する信号の変化が異なる値となるので、出血しているか否かを判別することができる。そして信号検出器６２が出血していないと判別したときに、レーザ照射部２０によりレーザ光Ｂ１を穿刺針１０の出射口１０ｂから出射させて、毛細血管を穿孔する。これにより、出血していないときのみ、レーザ光Ｂ１により毛細血管を穿孔することが可能となるので、上記実施形態と同様に、レーザ光Ｂ１による生体への負担を低減することができ、必要量の血液を確実に採取することができる。
【００６０】
次に本発明にかかる第七の実施形態の穿刺器具１−７について、以下図面を参照して詳細に説明する。図９は、第七の実施形態の穿刺器具１−７の概略構成を示す模式図である。なお本実施形態の穿刺器具１−７は、便宜上、上述の第一の実施形態の穿刺器具１と同様の箇所は同符号で示して説明を省略する。
【００６１】
本実施形態の穿刺器具１−７は、上述の第一の実施形態の穿刺器具１とは、集光レンズ４０と入射部３３との間の構造が特に異なっている。穿刺器具１−７は、図９に示すように、一端が入射部３３に接続され、他端が集光レンズ４０を介してレーザ共振器２１に接続される光伝送用のファイバ４１を備えている。そしてコネクタ部３２の後端には内部にファイバ４１が挿通する略筒状の筒部３４が同軸に固設されている。
【００６２】
筒部３４には、コネクタ部３２との接続端部に筒部３４の外径よりも大きい円盤部３４ａが形成され、入射部３３はこの円盤部３４ａの内孔を挿通し筒部３４内部に位置する。そして筒部３４の後端側外周には円盤状の第二の円盤部３５が配設され、この第二の円盤部３５は筒部３４の外周面を軸方向に移動可能にされている。そして円盤部３４ａと第二の円盤部３５との間にはばね部材３６が配設される。
【００６３】
また穿刺器具１−７は、一部を除くファイバ４１とガイドコネクタ３０を囲んで筒状に形成された穿刺器具本体３７を備え、この穿刺器具本体３７に上記第二の円盤部３５が固設される。そして穿刺器具本体３７には、該本体３７の外面から内方に向かって挿入された例えばピン状の係止具３８が設けられている。この係止具３８は、ガイドコネクタ３０が後端側（図９中左方向）に押圧されたときに円盤部３４ａの前端面に当接して円盤部３４ａすなわちガイドコネクタ３０を所定位置に保持する。なお筒部３４、円盤部３４ａ、第二の円盤部３５、ばね部材３６、穿刺器具本体３７及び係止具３８が、穿刺針１０を穿刺方向（図９中右側）に穿刺移動させる移動手段３９として機能する。
【００６４】
次に上記のように構成された穿刺器具１−７の作用について以下説明する。先ず上述の実施形態の穿刺器具１と同様に穿刺針１０の後端を、装着部３１ａに装着する。次にコネクタ３２を後端側（図９中左方向）に押し込むことにより、ガイドコネクタ３０を後端側に押圧し、円盤部３４ａの後端面をばね部材３６に当接させてばね部材３６を縮ませ、係止具３８に係止することにより、ばね部材３６にガイドコネクタ３０を付勢させる。
【００６５】
そしてここで係止具３８は、ばね部材３６がガイドコネクタ３０を付勢する位置（所定位置）に、上述のようにしてガイドコネクタ３０を保持する。このとき穿刺針１０の先端を穿刺器具本体３７の前端面より内方へ没入させておく。この状態を穿刺の待機状態とする。
【００６６】
次に穿刺針１０の先端を指尖部に近接させて、係止具３８による円盤部３４ａの係止を外す。するとばね部材３６の付勢力によりガイドコネクタ３０すなわち穿刺針１０の先端が指尖部に向かってすなわち穿刺方向に穿刺移動し、皮膚Ｓに挿入する。
【００６７】
そして上述の第一の実施形態の穿刺器具１と略同様に、図２（ｂ）に示すように、穿刺針１０を皮膚Ｓに挿入した状態でレーザ照射部２０からレーザ光Ｂ１を照射し、該照射されたレーザ光Ｂ１は、集光レンズ４０を介してファイバ４１内に入射し、ファイバ４１内を伝搬して入射部３３に入射し、図２（ｃ）に示すように、穿刺針１０の内部すなわち光路１０ａを通過して出射口１０ｂから出射する。
【００６８】
このとき、レーザ光Ｂ１を照射するタイミングは、例えばばね部材３６の伸縮状態を検出する図示しない検出器を設け、この検出器から出力された値が所定値になったとき、すなわち穿刺針１０が皮膚Ｓに所定深さ挿入されたことを確認した後で照射してもよいし、穿刺針１０を皮膚Ｓに挿入してから所定時間経過後に照射するようにしてもよいし、適宜変更可能である。
【００６９】
上記のようにばね部材３６の付勢力すなわち移動手段３９により、穿刺針１０を皮膚Ｓへ挿入させることで、例えば、糖尿病患者が自己で行う自己血糖測定等で上記穿刺器具１−７を使用する場合等に、穿刺針１０の皮膚Ｓへの挿入時の患者の負担を低減することができる。
【００７０】
なお本実施形態では、穿刺針１０を穿刺移動させる移動手段としてばね部材３６等を使用したが、本発明はこれに限られるものではなく、穿刺針１０を穿刺方向へ移動させることができれば、例えばモータ等のアクチュエータを使用しても良いし、適宜変更可能である。
【００７１】
以上により説明した実施形態の穿刺器具は、上記のような構成としたが本発明の穿刺器具はこれに限られるものではなく、発明の趣旨を逸脱しない範囲において適宜変更可能である。
【図面の簡単な説明】
【００７２】
【図１】穿刺器具の概略構成を示す模式図
【図２】生体への穿刺時の工程を順次説明する図
【図３】皮膚に挿入された穿刺針の状態を説明する図
【図４】第二の実施形態の穿刺針の斜視図
【図５】第三の実施形態の穿刺針の斜視図
【図６】第四の実施形態の穿刺針の斜視図
【図７】第五の実施形態の穿刺器具の概略構成を示す模式図
【図８】第六の実施形態の穿刺器具の概略構成を示す模式図
【図９】第七の実施形態の穿刺器具の概略構成を示す模式図
【符号の説明】
【００７３】
１      穿刺器具
１０    穿刺針
１０ａ  光路
１０ｂ  出射口
１１    球面加工部（レンズ機能）
２０    レーザ照射部（レーザ照射手段）
２１−５レーザ共振器（第二の照射手段）
３０    ガイドコネクタ
３１    ガイド部
３１ａ  装着部
３２    コネクタ部
３３    入射部
４０    集光レンズ
４１    光伝送用のファイバ
５０    光検出部（光検出手段）
５１    光検出器
５２    ハーフミラー
６０    電極部
６１    電極
６２    信号検出器
Ｂ１    レーザ光
Ｂ２    レーザ光（血液で反射される光）
Ｂ２’  反射光
【図１】
2008212264.tif 000003
【図２】
2008212264.tif 000004
【図３】
2008212264.tif 000005
【図４】
2008212264.tif 000006
【図５】
2008212264.tif 000007
【図６】
2008212264.tif 000008
【図７】
2008212264.tif 000009
【図８】
2008212264.tif 000010
【図９】
2008212264.tif 000011